【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
ＯＦＤＭ方式に基づく変調信号を複数の端末へ送信する基地局における無線通信方法であって、
前記複数の端末の各端末にどのサブキャリアを割り当てるかと、各端末に割り当てられるサブキャリア数とをフレーム毎に決定し、前記決定に応じて送信フレームを形成する送信フレーム形成ステップと、
前記送信フレームを送信する送信ステップと、
を含む無線通信方法。
【請求項２】
前記送信フレーム形成ステップでは、
通信相手である各端末からのフィードバック情報に基づいて、フレーム毎に、各端末に割り当てるサブキャリア数を決定する
請求項１に記載の無線通信方法。
【請求項３】
前記フレーム形成ステップでは、
さらに、制御情報シンボルを固定のサブキャリアに配置する
請求項１又は請求項２に記載の無線通信方法。
【請求項４】
前記フレーム形成ステップでは、
さらに、制御情報シンボルを予め決められた時間に配置する
請求項１から請求項３のいずれかに記載の無線通信方法。
【請求項５】
前記制御情報シンボルは、フレーム構成を示す情報を含む
請求項３又は請求項４に記載の無線通信方法。
【請求項６】
ＯＦＤＭ方式に基づく変調信号を複数の端末へ送信する基地局における無線通信装置であって、
前記複数の端末の各端末にどのサブキャリアを割り当てるかと、各端末に割り当てられるサブキャリア数とを、フレーム毎に決定し、前記決定に応じて送信フレームを形成する送信フレーム形成手段と、
前記送信フレームを送信する送信手段と、
を含む無線通信装置。
【請求項７】
前記送信フレーム形成手段は、
通信相手である各端末からのフィードバック情報に基づいて、フレーム毎に、各端末に割り当てるサブキャリア数を決定する
請求項６に記載の無線通信装置。
【請求項８】
前記フレーム形成手段は、
さらに、制御情報シンボルを固定のサブキャリアに配置する
請求項６又は請求項７に記載の無線通信装置。
【請求項９】
前記フレーム形成手段は、
さらに、制御情報シンボルを予め決められた時間に配置する
請求項６から請求項８のいずれかに記載の無線通信装置。
【請求項１０】
前記制御情報シンボルは、フレーム構成を示す情報を含む
請求項８又は請求項９に記載の無線通信装置。
【手続補正２】
【補正対象書類名】明細書
【補正対象項目名】００１２
【補正方法】変更
【補正の内容】
【００１２】
本発明の無線通信方法の一つの態様は、ＯＦＤＭ方式に基づく変調信号を複数の端末へ送信する基地局における無線通信方法であって、前記複数の端末の各端末にどのサブキャリアを割り当てるかと、各端末に割り当てられるサブキャリア数とをフレーム毎に決定し、前記決定に応じて送信フレームを形成する送信フレーム形成ステップと、前記送信フレームを送信する送信ステップと、を含む。
【手続補正３】
【補正対象書類名】明細書
【補正対象項目名】００１３
【補正方法】変更
【補正の内容】
【００１３】
本発明の無線通信方法の一つの態様は、前記送信フレーム形成ステップでは、通信相手である各端末からのフィードバック情報に基づいて、フレーム毎に、各端末に割り当てるサブキャリア数を決定する。
【手続補正４】
【補正対象書類名】明細書
【補正対象項目名】００１４
【補正方法】変更
【補正の内容】
【００１４】
本発明の無線通信方法の一つの態様は、前記フレーム形成ステップでは、制御情報シンボルを固定のサブキャリアに配置する。
【手続補正５】
【補正対象書類名】明細書
【補正対象項目名】００１５
【補正方法】変更
【補正の内容】
【００１５】
本発明の無線通信方法の一つの態様は、前記フレーム形成ステップでは、制御情報シンボルを予め決められた時間に配置する。
【手続補正６】
【補正対象書類名】明細書
【補正対象項目名】００１６
【補正方法】変更
【補正の内容】
【００１６】
本発明の無線通信方法の一つの態様は、前記制御情報シンボルは、フレーム構成を示す情報を含む。
【手続補正７】
【補正対象書類名】明細書
【補正対象項目名】００１７
【補正方法】変更
【補正の内容】
【００１７】
本発明の無線通信装置の一つの態様は、ＯＦＤＭ方式に基づく変調信号を複数の端末へ送信する基地局における無線通信装置であって、前記複数の端末の各端末にどのサブキャリアを割り当てるかと、各端末に割り当てられるサブキャリア数とを、フレーム毎に決定し、前記決定に応じて送信フレームを形成する送信フレーム形成手段と、前記送信フレームを送信する送信手段と、を含む。
【手続補正８】
【補正対象書類名】明細書
【補正対象項目名】００１８
【補正方法】変更
【補正の内容】
【００１８】
本発明の無線通信装置の一つの態様は、前記送信フレーム形成手段は、通信相手である各端末からのフィードバック情報に基づいて、フレーム毎に、各端末に割り当てるサブキャリア数を決定する。
【手続補正９】
【補正対象書類名】明細書
【補正対象項目名】００１９
【補正方法】変更
【補正の内容】
【００１９】
本発明の無線通信装置の一つの態様は、前記フレーム形成手段は、制御情報シンボルを固定のサブキャリアに配置する。
【手続補正１０】
【補正対象書類名】明細書
【補正対象項目名】００２０
【補正方法】変更
【補正の内容】
【００２０】
本発明の無線通信装置の一つの態様は、前記フレーム形成手段は、制御情報シンボルを予め決められた時間に配置する。
【手続補正１１】
【補正対象書類名】明細書
【補正対象項目名】００２１
【補正方法】変更
【補正の内容】
【００２１】
本発明の無線通信装置の一つの態様は、前記制御情報シンボルは、フレーム構成を示す情報を含む。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】